(57)【特許請求の範囲】
【請求項１】
筐体内で前進位置と後退位置との間で移動可能に配設され、互いにほぼ同一の幅寸法を有し長さ方向と厚み方向の寸法を異にする大小２種類の記録メディアが選択的に挿入されるホルダと、このホルダに設けられた固定側コネクタとを備え、前記記録メディアが前記ホルダに挿入されたときに、これら２種類の記録メディアの挿入方向先端側に設けられた可動側コネクタが前記固定側コネクタに接続される記録メディア駆動装置であって、
大小２種類の記録メディアがその側面に挿入方向へ延びるガイド溝を有しており、前記ホルダに前記ガイド溝と係合するガイド突起が設けられていると共に、前記筐体内に前記ホルダを前記前進位置で移動規制するロック部材が設けられており、このロック部材を前記ガイド突起に対して上下方向へずれた位置に配設することにより、該ロック部材を大小２種類の記録メディアのうち厚み寸法が大きい方の記録メディアのみによって駆動されるようになし、前記ホルダに大きい方の記録メディアが挿入されたとき、該記録メディアで前記ロック部材を駆動して前記ホルダの移動規制を解除することにより前記ホルダを前記筐体の前記後退位置まで移動させ、且つ該記録メディアの挿入力により前記可動側コネクタと前記固定側コネクタとが接続され、前記ホルダに小さい方の記録メディアが挿入されたとき、前記ロック部材によって前記ホルダを前記前進位置で移動規制して前記可動側コネクタと前記固定側コネクタとが接続されるように構成したことを特徴とする記録メディア駆動装置。
【請求項２】
請求項１の記載において、前記ロック部材を前記筐体に回動可能に支持すると共に、該ロック部材をばね部材によって前記ホルダと係合する方向へ弾性付勢したことを特徴とする記録メディア駆動装置。
【発明の詳細な説明】
【技術分野】
【０００１】
本発明は記録メディア駆動装置に係り、特に、外形寸法が異なる大小２種類の記録メディアをユーザの手動操作によってコネクタ接続するようにした記録メディア駆動装置に関するものである。
【背景技術】
【０００２】
従来より、各種データが記録された記録メディアを手動操作でホルダに挿入・保持し、このホルダを搬送機構によって筐体の内部に自動搬送することにより、記録メディアの挿入方向先端側に設けられた可動側コネクタと筐体内に配設された固定側コネクタとを接続するようにした記録メディア駆動装置が知られている（例えば、特許文献１参照）。ここで、記録メディアとしては外形寸法を異にする大小２種類（ノーマルサイズとミニサイズ）のものが使用され、ホルダの奥行き寸法は長さ寸法が短い方の記録メディアを基準に設定されている。また、可動側コネクタはノーマルサイズもミニサイズも共通で、いずれも複数のクリップ状メス型端子を所定ピッチで配列したものからなり、固定側コネクタは複数のピン状オス型端子をメス型端子と同ピッチで配列したものからなる。さらに、搬送機構は、モータを駆動源として回転する減速歯車列と、この減速歯車列の最終段ギヤに噛合するラックとからなり、このラックはホルダの側面に固定されている。
【０００３】
このように概略構成された記録メディア駆動装置において、ユーザが大小２種類の記録メディアのいずれか一方を手動操作でホルダ内に挿入すると、ミニサイズの記録メディアは筐体の前面から僅かに突出した状態でホルダに保持されるが、ノーマルサイズの記録メディアは筐体の前面から大きく突出した状態でホルダに保持される。しかる後にモータが一方向へ回転すると、モータを駆動源とする搬送機構によってホルダが筐体の奥部へ向かって直線的に移動し、ホルダが筐体内の装着位置まで移動した時点で記録メディアの可動側コネクタに固定側コネクタが嵌挿され、記録メディアは装置内に装着された状態でコネクタ接続される。この装着位置において、ミニサイズの記録メディアは筐体の内部に完全に収納された状態となり、ノーマルサイズの記録メディアは筐体の前面から僅かに突出した状態となる。また、かかる記録メディアの装着状態でモータが上記と逆方向へ回転すると、ホルダが装着位置から筐体の前面に向かって直線的に移動するため、それに伴って可動側コネクタが固定側コネクタから抜け出て接続解除された後、記録メディアは排出可能な初期位置まで自動搬送される。
【特許文献１】特開２００４−３４８８１２号公報（第５−７頁、図４）
【発明の開示】
【発明が解決しようとする課題】
【０００４】
前述した従来の記録メディア駆動装置では、ホルダに保持された記録メディアをモータを駆動源とする搬送機構によって自動搬送し、その搬送力を利用して記録メディアの可動側コネクタを固定側コネクタに対して挿抜させるようにしているため、大小２種類の記録メディアを筐体内に収納した状態でコネクタ接続することができる。しかしながら、搬送機構の駆動源であるモータのトルクが不十分であると、可動側コネクタと固定側コネクタを確実に接続／解除することができなくなるため、必然的に高トルクのモータを使用しなければならず、それに伴ってコストアップになったり搬送機構を含む各機構構造体に高い機械的強度が要求される等、種々の問題が発生する。
【０００５】
なお、ホルダを筐体内の所定位置に固定すれば、上記したような搬送機構を用いなくてもユーザの手動操作力によって記録メディアの可動側コネクタを固定側コネクタに挿抜させることが可能となるが、この場合、ミニサイズの記録メディアの全長を基準にホルダの設置位置を設定する必要があるため、ノーマルサイズの記録メディアをホルダに挿入してコネクタ接続したとき、該記録メディアの挿入方向後端側が筐体の前面から大きく突出してしまうという問題が発生する。
【０００６】
本発明は、このような従来技術の実情に鑑みてなされたもので、その目的は、ユーザの手動操作力によって大小２種類の記録メディアを確実にコネクタ接続でき使い勝手も良好な記録メディア駆動装置を提供することにある。
【課題を解決するための手段】
【０００７】
本発明は、固定側コネクタを有するホルダに記録メディアの側面に形成されたガイド溝と係合するガイド突起を設け、このホルダの筐体後方への移動をロック部材によって規制すると共に、このロック部材をホルダに設けられたガイド突起に対して上下方向へずれた位置に配設することにより、該ロック部材を大小２種類の記録メディアの厚み寸法の違いを利用して選択的に動作させるようにした。
【発明の効果】
【０００８】
本発明の記録メディア駆動装置は、ロック部材をホルダのガイド突起に対して上下方向へずれた位置に配設することにより、大小２種類の記録メディアの厚み寸法の違いを利用してロック部材を選択的に動作させ、厚み寸法が大きい方の記録メディアをホルダに挿入したときは、該記録メディアの挿入力で、ロック部材を駆動してホルダを自由状態にすることによりホルダを筐体の後方位置まで移動させ、且つ可動側コネクタと固定側コネクタとを接続させ、厚み寸法が小さい方の記録メディアをホルダに挿入したときは、ロック部材によってホルダを筐体の手前位置に移動規制した状態でコネクタ接続するようにしたので、長さ寸法が異なる大小２種類の記録メディアをユーザの手動操作力によってコネクタ接続できるのみならず、長さ寸法を異にする両記録メディアをいずれも筐体に収納できて使い勝手が向上する。
【発明を実施するための最良の形態】
【０００９】
本発明は、筐体内で前進位置と後退位置との間で移動可能に配設され、互いにほぼ同一の幅寸法を有し長さ方向と厚み方向の寸法を異にする大小２種類の記録メディアが選択的に挿入されるホルダと、このホルダに設けられた固定側コネクタとを備え、前記記録メディアが前記ホルダに挿入されたときに、これら２種類の記録メディアの挿入方向先端側に設けられた可動側コネクタが前記固定側コネクタに接続される記録メディア駆動装置であって、大小２種類の記録メディアがその側面に挿入方向へ延びるガイド溝を有しており、前記ホルダに前記ガイド溝と係合するガイド突起が設けられていると共に、前記筐体内に前記ホルダを前記前進位置で移動規制するロック部材が設けられており、このロック部材を前記ガイド突起に対して上下方向へずれた位置に配設することにより、該ロック部材を大小２種類の記録メディアのうち厚み寸法が大きい方の記録メディアのみによって駆動されるようになし、前記ホルダに大きい方の記録メディアが挿入されたとき、該記録メディアで前記ロック部材を駆動して前記ホルダの移動規制を解除することにより前記ホルダを前記筐体の前記後退位置まで移動させ、且つ該記録メディアの挿入力により前記可動側コネクタと前記固定側コネクタとが接続され、前記ホルダに小さい方の記録メディアが挿入されたとき、前記ロック部材によって前記ホルダを前記前進位置で移動規制して前記可動側コネクタと前記固定側コネクタとが接続されるように構成した。
【００１０】
このように構成された記録メディア駆動装置では、ユーザが大小２種類の記録メディアのいずれか一方をホルダに手動操作で挿入してコネクタ接続する場合、厚み寸法が大きい方の記録メディアをホルダに挿入するときは、該記録メディアの挿入力でロック部材を駆動してホルダを自由状態にすることにより、ホルダを筐体の後退位置まで移動させ、且つ可動側コネクタと固定側コネクタとを接続し、厚み寸法が小さい方の記録メディアをホルダに挿入するときは、ロック部材によってホルダを筐体の前進位置に移動規制した状態で両コネクタを接続するようにしたので、大小２種類の記録メディアをユーザの手動操作力によってコネクタ接続できるのみならず、長さ寸法を異にする両記録メディアをいずれも筐体に収納できて使い勝手が向上する。しかも、大小２種類の記録メディアはその側面に挿入方向へ延びるガイド溝を有しており、ホルダにガイド溝と係合するガイド突起が設けられていると共に、このガイド突起に対してロック部材を上下方向へずれた位置に配設したので、両記録メディアをホルダに対してスムーズに挿脱できると共に、両記録メディアの厚み寸法の違いを利用してロック部材を確実に動作させることができる。
【００１２】
また、上記の構成において、ロック部材は筐体にスライド可能に支持されていても良いが、ロック部材を筐体に回動可能に支持すると共に、該ロック部材をばね部材によってホルダと係合する方向へ弾性付勢すると、ロック部材の安定した動作を実現できて好ましい。
【実施例】
【００１３】
実施例について図面を参照して説明すると、図１は本発明の実施例に係る記録メディア駆動装置の待機状態を示す平面図、図２は該記録メディア駆動装置にミニサイズの記録メディアを使用したときのコネクタ接続状態を示す平面図、図３は該記録メディア駆動装置にミニサイズの記録メディアを使用したときのイジェクト状態を示す平面図、図４は該記録メディア駆動装置にノーマルサイズの記録メディアを使用したときの挿入初期状態を示す平面図、図５は該記録メディア駆動装置にノーマルサイズの記録メディアを使用したときの挿入途中状態を示す平面図、図６は該記録メディア駆動装置にノーマルサイズの記録メディアを使用したときのコネクタ接続状態を示す平面図、図７は該記録メディア駆動装置にノーマルサイズの記録メディアを使用したときのイジェクト初期状態を示す平面図、図８は該記録メディア駆動装置に備えられるロック部材の動作説明図、図９は該ロック部材とホルダの関係を示す説明図、図１０（ａ）は該記録メディア駆動装置に使用されるミニサイズの記録メディアの平面図、図１０（ｂ）は該ミニサイズの記録メディアの側面図、図１１（ａ）は該記録メディア駆動装置に使用されるノーマルサイズの記録メディアの平面図、図１１（ｂ）は該ノーマルサイズの記録メディアの側面図である。
【００１４】
図１〜図７に示すように、本実施例に係る記録メディア駆動装置は、車室内の所定位置（例えばコンソール内）に収容される箱形の筐体１と、この筐体１の前面開口端に取り付けられた前面パネル２とを備えており、前面パネル２に開設された挿入口２ａから筐体１に対して２種類の記録メディア３，４を挿入／排出できるようになっている。これら記録メディア３，４の外形寸法は小さい方のミニサイズと大きい方のノーマルサイズとに区別され、以下、ミニサイズの記録メディアを第１の記録メディア３、ノーマルサイズの記録メディアを第２の記録メディア４と呼ぶこととする。
【００１５】
図１０に示すように、第１の記録メディア３は記録媒体としてのハードディスク（図示省略）を合成樹脂製のカートリッジ５内に収納したものであり、カートリッジ５の幅寸法はＷ１、長さ寸法はＬ１、厚み（高さ）寸法はＨ１に設定されている。このカートリッジ５の挿入側端面には可動側コネクタ６が設けられており、カートリッジ５の左右両側面には挿入／排出方向へ延びるガイド溝５ａとクランプ用の凹部５ｂとが形成されている。
【００１６】
図１１に示すように、第２の記録メディア４は記録媒体としてのハードディスク（図示省略）を合成樹脂製のカートリッジ７内に収納したものであり、カートリッジ７の幅寸法はＷ２、長さ寸法はＬ２、厚み（高さ）寸法はＨ２に設定されている。このカートリッジ７の挿入側端面には可動側コネクタ８が設けられており、カートリッジ７の左右両側面には挿入／排出方向へ延びるガイド溝７ａとクランプ用の凹部７ｂとが形成されている。ここで、第１の記録メディア３の各寸法に対する第２の記録メディア４の各寸法はＷ１＝Ｗ２、Ｌ１＜Ｌ２、Ｈ１＜Ｈ２の関係にあり、具体的には、Ｗ１＝Ｗ２＝８０ｍｍ、Ｌ１＝６７ｍｍ、Ｌ２＝１１０ｍｍ、Ｈ１＝１０ｍｍ、Ｈ２＝１２ｍｍとなっている。また、第１および第２の記録メディア３，４のガイド溝５ａ，７ａと凹部５ｂ，７ｂは互いに同一高さ位置に形成されており、ノーマルサイズの第２の記録メディア４はミニサイズの第１の記録メディア３に対してｈ（＝Ｈ２−Ｈ１）だけ肉厚に形成されている。なお、第１および第２の記録メディア３，４の可動側コネクタ６，８は同一構造で同一形状、且つ、カートリッジ５，７に対する高さ位置、幅方向の位置も同一となっている。詳細な構造は図示省略されているが、これら可動側コネクタ６，８は複数のクリップ状メス型端子を所定ピッチで配列したものからなる。
【００１７】
筐体１の内部には前面を開放したホルダ９が配置されており、このホルダ９に第１および第２の記録メディア３，４が選択的に保持されるようになっている。ホルダ９内の奥部には第１および第２の記録メディア３，４の可動側コネクタ６，８に接続可能な固定側コネクタ１０が配設されており、詳細な構造は図示省略されているが、固定側コネクタ１０は複数のピン状オス型端子を可動側コネクタ６，８のメス型端子と同ピッチで配列したものからなる。ホルダ９の上下両面には複数本のピン１１が植設されており、これらピン１１が筐体１の上下両面に形成された直線状の各ガイド孔１２ａ，１２ｂ，１２ｃに案内されることにより、ホルダ９は筐体１内で図１に示す前進位置と図６に示す後退位置との間で前後方向（Ｘ１−Ｘ２方向）へ移動可能となっている。ホルダ９の下面中央のピン１１には一対のイジェクトアーム１３が回転可能に支持されており、これらイジェクトアーム１３は長尺片と短尺片を直角に連続させたＬ字状に形成されている。両イジェクトアーム１３の長尺片の先端にはそれぞれ駆動ピン１３ａが植設されており、これら駆動ピン１３ａは第１および第２の記録メディア３，４の挿入側端面と当接可能になっている。なお、両イジェクトアーム１３は図示省略したばねの弾発力によってホルダ９の内方へ向けて回動付勢されており、その弾発力を受けて両駆動ピン１３ａはホルダ９内に突出している。また、ホルダ９の左右内側部にはガイド突起９ａが形成されており、これらガイド突起９ａに前述したカートリッジ５，７のガイド溝５ａ，７ａが案内されることにより、第１および第２の記録メディア３，４はホルダ９に対してスムーズに挿抜できると共に、ホルダ９内で上下方向へがたつかないようになっている。さらに、ホルダ９の左右内側部には第１および第２の記録メディア３，４を保持するためのクランパ１４が回転可能に支持されており、両クランパ１４は捩りコイルばね１５によってホルダ９の内方へ向けて弾性付勢されている。
【００１８】
筐体１の上面両側部にはロック部材１６が回転可能に支持されており、図８に示すように、これらロック部材１６はその回動軸１６ａに巻回された捩りコイルばね１７の弾発力によってホルダ９の内方へ向けて回動付勢されている。ロック部材１６の先端側には規制部１６ｂが折曲形成されており、この規制部１６ｂがホルダ９後端の係合部９ｂに当接することにより、ホルダ９が筐体１の後方（Ｘ２方向）へ移動しないように位置規制されている。また、ロック部材１６の側面にはホルダ９の内方へ突出する平面視三角形状の受部１６ｃが折曲形成されており、この受部１６ｃは第１および第２の記録メディア３，４の挿入方向に沿って互いに逆向きに傾斜する２つのテーパ面を有している。図９に示すように、ロック部材１６の受部１６ｃはホルダ９のガイド突起９ａの上方に位置しており、第１および第２の記録メディア３，４をホルダ９に挿入したとき、厚み寸法Ｈ２が大きい方の第２の記録メディア４は受部１６ｃに当接するが、厚み寸法Ｈ１が小さい方の第１の記録メディア３は受部１６ｃの下方を通過するだけで受部１６ｃに当接しないようになっている。つまり、第１および第２の記録メディア３，４の厚み寸法の違い（ｈ＝Ｈ２−Ｈ１）を利用してロック部材１６が選択的に回転動作されるようになっている。そして、第２の記録メディア４の挿入時にそのカートリッジ７の側面上部が受部１６ｃを押圧することにより、ロック部材１６が捩りコイルばね１７の弾発力に抗してホルダ９の外方へ回転し、それに伴って規制部１６ｂがホルダ９の係合部９ｂから退避するため、ホルダ９はロック部材１６による規制が解除されて筐体１の後方（Ｘ２方向）へ移動可能となる。
【００１９】
また、筐体１の上面とホルダ９の上面側との間にはコイルばね１８が張架されており、ホルダ９はこのコイルばね１８によって筐体１の手前側（Ｘ１方向）へ弾性付勢されている。さらに、筐体１の下面には前後方向（Ｘ１−Ｘ２方向）へ移動可能なイジェクトレバー１９と左右方向（Ｙ１−Ｙ２方向）へ移動可能なスライドロック板２０とが配設されており、イジェクトレバー１９の一部は筐体１の前方へ突出している。イジェクトレバー１９はコイルばね２１によって筐体１の手前側（Ｘ１方向）へ弾性付勢されており、このイジェクトレバー１９には第１および第２の駆動ピン１９ａ，１９ｂが植設されている。第１の駆動ピン１９ａは両イジェクトアーム１３の短尺片の間に位置しており、この第１の駆動ピン１９ａによって両イジェクトアーム１３が回転動作されるようになっている。一方、スライドロック板２０はコイルばね２２によって筐体１の右方向（Ｙ２方向）へ弾性付勢されており、このスライドロック板２０には一対の係止部２０ａと解除部２０ｂとが形成されている。両係止部２０ａは筐体１の下面に形成された両ガイド孔１２ｃの後端部に位置しており、ガイド孔１２ｃに沿って移動するピン１１が係止部２０ａに係止することにより、ホルダ９がコイルばね１８の引張力に抗して筐体１内の奥位置にロックされるようになっている。また、解除部２０ｂはイジェクトレバー１９の第２の駆動ピン１９ｂに対向しており、解除部２０ｂが第２の駆動ピン１９ｂに押圧されることにより、スライドロック板２０はコイルばね２２の付勢力に抗してＹ１方向へ移動するようになっている。
【００２０】
次に、上述のごとく構成された記録メディア駆動装置の動作を説明する。
【００２１】
図１は第１の記録メディア３と第２の記録メディア４がいずれも筐体１内に挿入されていないイジェクト時の待機状態を示しており、この場合、ホルダ９は筐体１の手前側の前進位置にある。また、図８（ａ）に示すように、ロック部材１６は捩りコイルばね１７の弾発力によってホルダ９の内方へ回動付勢されており、その受部１６ｃがホルダ９のメディア挿入経路内に突出すると共に、その規制部１６ｂがホルダ９の係合部９ｂに当接または僅かな隙間を介して対向しており、ホルダ９はロック部材１６によって筐体１の後方（Ｘ２方向）へ移動しないように位置規制されている。
【００２２】
かかる待機状態において、ユーザが第１の記録メディア３を手動操作により挿入口２ａから筐体１内のホルダ９に挿入すると、まず、第１の記録メディア３の挿入方向におけるカートリッジ５の先端側両隅部がクランパ１４に当接し、第１の記録メディア３の挿入力によってクランパ１４が捩りコイルばね１５の弾発力に抗してホルダ９の外方へ回動する。この場合、第１の記録メディア３のガイド溝５ａがガイド突起９ａに案内されながらホルダ９の内部へ挿入されるため、図９に示すように、厚み寸法Ｈ１の小さい第１の記録メディア３はロック部材１６の受部１６ｃの下方を通過することになり、第１の記録メディア３の挿入力によってロック部材１６は回転動作しない。そして、第１の記録メディア３をさらに挿入して挿入方向後端側が筐体１の内部まで達すると、図２に示すように、両駆動ピン１３ａが第１の記録メディア３の先端面に押圧されて両イジェクトアーム１３が後方へ回転すると共に、クランパ１４の一部がカートリッジ５の凹部５ｂに入り込み、第１の記録メディア３がクランパ１４を介してホルダ９に保持された状態となる。このとき、ロック部材１６によってホルダ９のＸ２方向への移動が規制されているため、第１の記録メディア３の挿入力により可動側コネクタ６と固定側コネクタ１０とを確実に接続することができ、これら可動側コネクタ６と固定側コネクタ１０のコネクタ接続を介して第１の記録メディア３に記録された各種データを装置側に授受することができる。
【００２３】
また、このようにして装置内に装着された第１の記録メディア３を排出する場合、ユーザがイジェクトレバー１９を筐体１の後方（Ｘ２方向）へ押し込むと、図３に示すように、イジェクトレバー１９の第１の駆動ピン１９ａが両イジェクトアーム１３の短尺片を押圧するため、両イジェクトアーム１３がホルダ９の内部に向かって回転し、それに伴って両駆動ピン１３ａが第１の記録メディア３の先端面を筐体１の手前側（Ｘ１方向）へ押圧する。その結果、クランパ１４が再びホルダ９の外方へ回動して凹部５ｂから外れると共に、可動側コネクタ６が固定側コネクタ１０から抜け出て両者のコネクタ接続が解除されるため、第１の記録メディア３はその挿入方向後端部が挿入口２ａから突出する位置まで押し出され、ユーザは第１の記録メディア３の後端部を掴んでホルダ９から引き抜くことができる。
【００２４】
一方、図１に示す待機状態において、ユーザが第２の記録メディア４を手動操作により挿入口２ａから筐体１内のホルダ９に挿入すると、まず図４に示すように、第２の記録メディア４の挿入方向におけるカートリッジ７の先端側両隅部がクランパ１４に当接し、第２の記録メディア４の挿入力によってクランパ１４が捩りコイルばね１５の弾発力に抗してホルダ９の外方へ回動すると共に、第２の記録メディア４の上面両隅部がロック部材１６の受部１６ｃの手前側テーパ面に当接する。ユーザが第２の記録メディア４をホルダ９内にさらに挿入すると、図８（ｂ）に示すように、受部１６ｃが第２の記録メディア４の上部側面によって押圧されるため、ロック部材１６が捩りコイルばね１７の弾発力に抗してホルダ９の外方へ回動し、それに伴って規制部１６ｂがホルダ９の係合部９ｂから外側へ退避する。すなわち、第１の記録メディア３に比べて長さ寸法Ｌ２が大きい第２の記録メディア４の場合は、可動側コネクタ８が固定側コネクタ１０と対峙する位置まで第２の記録メディア４を挿入した時点で、第２の記録メディア４の挿入力でロック部材１６を回転動作させることにより、ロック部材１６によるホルダ９の筐体１の後方（Ｘ２方向）への移動規制が解除された自由状態となる。
【００２５】
この状態で挿入口２ａから突出している第２の記録メディア４の後端部をユーザがさらに筐体１に挿入すると、図５に示すように、ホルダ９が第２の記録メディア４の挿入力を受けて筐体１の後方（Ｘ２方向）へ移動し、ホルダ９の一対のピン１１が筐体１の両ガイド孔１２ｃに沿ってスライドロック板２０の係止部２０ａに近づいていく。この間、可動側コネクタ８と固定側コネクタ１０は充分にコネクタ接続されない状態を維持するが、図６に示すように、第２の記録メディア４をその挿入方向後端部が筐体１内に入り込む位置まで挿入すると、ホルダ９の中央のピン１１が筐体１のガイド孔１２ａの後端位置まで移動して、ホルダ９を筐体１の後方へそれ以上移動することができなくなる。したがって、ホルダ９が図５から図６に示す位置まで移動した後に、第２の記録メディア４の挿入力によって可動側コネクタ８と固定側コネクタ１０とを確実に接続することができ、これら可動側コネクタ８と固定側コネクタ１０のコネクタ接続を介して第２の記録メディア４に記録された各種データを装置側に授受することができる。なお、かかる可動側コネクタ８と固定側コネクタ１０のコネクタ接続状態において、両駆動ピン１３ａが第２の記録メディア４の先端面に押圧されて両イジェクトアーム１３が後方へ回転すると共に、第２の記録メディア４がクランパ１４を介してホルダ９に保持され、また、スライドロック板２０の係止部２０ａに上記したピン１１が係止することにより、ホルダ９が筐体１内の奥位置にロックされた状態となる。
【００２６】
また、このようにして装置内に装着された第２の記録メディア４を排出する場合、ユーザがイジェクトレバー１９を筐体１の後方（Ｘ２方向）へ押し込むと、図７に示すように、イジェクトレバー１９の第２の駆動ピン１９ｂが解除部２０ｂを押圧してスライドロック板２０をＹ１方向へ移動するため、スライドロック板２０によるホルダ９のロック状態が解除され、ホルダ９はコイルばね１８の引張力によって筐体１の前方（Ｘ１方向）へ移動する。その結果、ホルダ９に保持された第２の記録メディア４の挿入方向後端部が挿入口２ａから大きく突出するため、ユーザが第２の記録メディア４の後端部を掴んでホルダ９から引き抜くと、その抜去力によって可動側コネクタ８と固定側コネクタ１０のコネクタ接続を解除することができる。
【００２７】
なお、上記実施例では、第１および第２の記録メディア３，４として磁気ディスクであるハードディスクを内蔵したカートリッジ５，７を例示したが、半導体メモリや光ディスクを内蔵するカード型あるいはカートリッジ型記録メディア等であっても良い。
【００２８】
また、上記実施例では、第２の記録メディア４の挿入時に、可動側コネクタ８と固定側コネクタ１０とが接続される前にロック部材１６によるホルダ９の移動規制を解除するようにしたが、ロック部材１６の設置位置を適宜変更することで、第２の記録メディア４の可動側コネクタ８が固定側コネクタ１０に完全に接続されるまでホルダ９を前進位置にロックしておき、両コネクタ８，１０の接続とほぼ同時にロック部材１６が駆動され、その後の第２の記録メディア４の挿入力により、両コネクタ８，１０が接続されたままの状態でホルダ９が後退位置まで移動するようにしても良い。
【００２９】
なお、ロック部材をホルダ９に設け、第２の記録メディアによってこのロック部材が筐体１に係脱するように構成することも可能である。
【図面の簡単な説明】
【００３０】
【図１】本発明の実施例に係る記録メディア駆動装置の待機状態を示す平面図である。
【図２】該記録メディア駆動装置にミニサイズの記録メディアを使用したときのコネクタ接続状態を示す平面図である。
【図３】該記録メディア駆動装置にミニサイズの記録メディアを使用したときのイジェクト状態を示す平面図である。
【図４】該記録メディア駆動装置にノーマルサイズの記録メディアを使用したときの挿入初期状態を示す平面図である。
【図５】該記録メディア駆動装置にノーマルサイズの記録メディアを使用したときの挿入途中状態を示す平面図である。
【図６】該記録メディア駆動装置にノーマルサイズの記録メディアを使用したときのコネクタ接続状態を示す平面図である。
【図７】該記録メディア駆動装置にノーマルサイズの記録メディアを使用したときのイジェクト初期状態を示す平面図である。
【図８】該記録メディア駆動装置に備えられるロック部材の動作説明図である。
【図９】該ロック部材とホルダの関係を示す説明図である。
【図１０】該記録メディア駆動装置に使用されるミニサイズの記録メディアの説明図である。
【図１１】該記録メディア駆動装置に使用されるノーマルサイズの記録メディアの説明図である。
【符号の説明】
【００３１】
１  筐体
２  前面パネル
２ａ  挿入口
３  第１の記録メディア
４  第２の記録メディア
５，７  カートリッジ
５ａ，７ａ  ガイド溝
５ｂ，７ｂ  凹部
６，８  可動側コネクタ
９  ホルダ
９ａ  ガイド突起
１０  固定側コネクタ
１２ａ，１２ｂ，１２ｃ  ガイド孔
１３  イジェクトアーム
１３ａ  駆動ピン
１３ｂ  
１４  クランパ
１６  ロック部材
１６ａ  回動軸
１６ｂ  規制部
１６ｃ  受部
１７  捩りコイルばね
１８  コイルばね
１９  イジェクトレバー
１９ａ  第１の駆動ピン
１９ｂ  第２の駆動ピン
２０  スライドロック板
２０ａ  係止部
２０ｂ  解除部
【図１】
0004473194.tif 000002
【図２】
0004473194.tif 000003
【図３】
0004473194.tif 000004
【図４】
0004473194.tif 000005
【図５】
0004473194.tif 000006
【図６】
0004473194.tif 000007
【図７】
0004473194.tif 000008
【図８】
0004473194.tif 000009
【図９】
0004473194.tif 000010
【図１０】
0004473194.tif 000011
【図１１】
0004473194.tif 000012